(57)【特許請求の範囲】
【請求項１】
原子炉圧力容器に設けられた低圧注水ノズルと炉心シュラウドとを接続し、原子炉冷却水喪失事故時に原子炉圧力容器内に冷却水を注入するようにした低圧注水系統カップリングを切断徹去するとともに、既設の炉心シュラウドを撤去した後、シュラウド側フランジネックが工場において取り付けられた新たな炉心シュラウドを原子炉圧力容器内に据付け、前記新たな炉心シュラウドに取り付けられたシュラウド側フランジネックと、原子炉圧力容器に設けられた低圧注水ノズルに取り付けられた原子炉圧力容器側フランジネックとの間に、低圧注水系統カップリングを構成するベローズ組立体を搬入し、そのベローズ組立体を介して前記原子炉圧力容器側フランジネックとシュラウド側フランジネックを互いに締結することを特徴とする低圧注水系配管の取替方法であって、
原子炉圧力容器側フランジネックの芯或いは炉心シュラウド側フランジネックの芯を基準として原子炉圧力容器側フランジネックの芯と炉心シュラウド側フランジネックの芯との芯ずれ量を遠隔で計測し、前記原子炉圧力容器側フランジネック或いは炉心シュラウド側フランジネックとベローズ組立体との間に上記芯ずれを吸収する機構を設けたことを特徴とする、低圧注水系配管の取替方法。
【請求項２】
原子炉圧力容器に設けられた低圧注水ノズルと炉心シュラウドとを接続し、原子炉冷却水喪失事故時に原子炉圧力容器内に冷却水を注入するようにした低圧注水系統カップリングを切断徹去するとともに、既設の炉心シュラウドを撤去した後、シュラウド側フランジネックが工場において取り付けられた新たな炉心シュラウドを原子炉圧力容器内に据付け、前記新たな炉心シュラウドに取り付けられたシュラウド側フランジネックと、原子炉圧力容器に設けられた低圧注水ノズルに取り付けられた原子炉圧力容器側フランジネックとの間に、低圧注水系統カップリングを構成するベローズ組立体を搬入し、そのベローズ組立体を介して前記原子炉圧力容器側フランジネックとシュラウド側フランジネックを互いに締結することを特徴とする低圧注水系配管の取替方法であって、
原子炉圧力容器側フランジネックの芯或いは炉心シュラウド側フランジネックの芯を基準として原子炉圧力容器側フランジネックのフランジ面と炉心シュラウド側フランジネックのフランジ面の傾き量を遠隔で計測し、前記原子炉圧力容器側フランジネック或いは炉心シュラウド側フランジネックとベローズ組立体との間に前記フランジ面の傾き量を吸収する機構を設けたことを特徴とする、低圧注水系配管の取替方法。
【請求項３】
原子炉圧力容器側フランジネックの芯と炉心シュラウド側フランジネックの芯との芯ずれ或いは前記フランジ面の傾き量を吸収する機構は、前記芯ずれ量或いはフランジ面の傾き量の計測データを基に偏心され或いは傾斜フランジ面を有する、前記ベローズ組立体の原子炉圧力容器側或いは炉心シュラウド側のフランジにクランプにより取り付けられる偏心リングであることを特徴とする、請求項１または２記載の低圧注水系配管の取替方法。
【請求項４】
原子炉圧力容器側フランジネックの芯と炉心シュラウド側フランジネックの芯との芯ずれ或いは前記フランジ面の傾き量を吸収する機構は、ベローズ組立体の原子炉圧力容器側或いは炉心シュラウド側に設けられ、前記芯ずれ量或いはフランジ面の傾き量の計測データを基に偏心され或いは傾斜フランジ面が形成されたフランジであることを特徴とする、請求項１または２記載の低圧注水系配管の取替方法。
【請求項５】
原子炉圧力容器側フランジネックの芯と炉心シュラウド側フランジネックの芯との芯ずれ量或いは前記フランジ面の傾き量を吸収する機構は、ベローズ組立体の原子炉圧力容器側及び炉心シュラウド側の少なくとも一方に設けられ、前記芯ずれ量或いはフランジ面の傾き量の計測データを基に偏心させることができる偏心リングであることを特徴とする、請求項１または２記載の低圧注水系配管の取替方法。
【請求項６】
原子炉圧力容器に設けられた低圧注水ノズルと炉心シュラウドとを接続し、原子炉冷却水喪失事故時に原子炉圧力容器内に冷却水を注入するようにした低圧注水系統カップリングを切断徹去するとともに、既設の炉心シュラウドを撤去した後、フランジネック短管部が工場において取り付けられた新たな炉心シュラウドを原子炉圧力容器内に据付け、前記新たな炉心シュラウドに取り付けられたシュラウド側フランジネック短管部に取り付けられたフランジ部と、原子炉圧力容器に設けられた低圧注水ノズルに取り付けられた原子炉圧力容器側フランジネックとの間に、低圧注水系統カップリングを構成するベローズ組立体を搬入し、そのベローズ組立体を介して前記原子炉圧力容器側フランジネックとシュラウド側フランジネックを互いに締結することを特徴とする低圧注水系配管の取替方法であって、
新たな低圧注水系統器機の一部である炉心シュラウド側フランジネックの短管部を予め炉心シュラウドの芯を基準に新たな炉心シュラウドに取り付けておき、この短管部が取り付けられた炉心シュラウドを炉内に取り付けるとともに、原子炉圧力容器側フランジネックの芯或いは炉心シュラウド側フランジネックの短管部の芯を基準として、原子炉圧力容器側フランジネックの芯と炉心シュラウド側フランジネックの短管部の芯との芯ずれ量を遠隔で計測することを特徴とする、低圧注水系配管の取替方法。
【請求項７】
原子炉圧力容器側フランジネックと炉心シュラウド側フランジネックの短管部の芯ずれ及びフランジ面の傾きを吸収するための機構として、計測データを基に偏心させた偏心フランジを炉心シュラウド側フランジネックの短管部の原子炉圧力容器側に炉心シュラウドの内側から取り付け、その後、短管部の反対側にサーマルシールドを取り付けることを特徴とする、請求項６記載の低圧注水系配管の取替方法。
【発明の詳細な説明】
【技術分野】
【０００１】
本発明は低圧注水系統機器の一部を構成する低圧注水系配管の取替方法に関する。
【背景技術】
【０００２】
図９は沸騰水型原子炉の概略構成を示す図であり、原子炉圧力容器１内に設けられた炉心支持板２には炉心シュラウド３が取り付けられており、その炉心シュラウド３内において上記炉心支持板１と上部格子板４との間に多数本の燃料集合体５が配設支持されている。そして、上記炉心シュラウド３と原子炉圧力容器１の内壁面との間に冷却材循環用のジェットポンプ６が配設されている。
【０００３】
ところで、上記沸騰水型原子炉においては、上記上部格子板４と対応する高さ位置に、原子炉冷却材喪失事故時の低圧注水モードにおいて炉心の冠水を行うための冷却水を原子炉圧力容器１の容器壁から炉心シュラウド３へ導く管継手である低圧注水系統カップリング７が設けられている。
【０００４】
図１０は上記低圧注水系系統カップリング７部の拡大斜視図、図１１はその縦断面図であり、原子炉圧力容器１の低圧注水ノズルセーフエンド８内に溶着された原子炉圧力容器側フランジネック９と炉心シュラウド３に固着されたシュラウド側フランジネック１０との間に低圧注水系統カップリングを構成するベローズ組立体１１が介装され、そのベローズ組立体１１により原子炉圧力容器側フランジネック９とシュラウド側フランジネック１０とが連結されている。上記ベローズ組立体１１は、両端外周部に球面を有するスリーブ１２を有し、そのスリーブ１２の両端部がそれぞれフランジ付きリング１３ａ、１３ｂに嵌挿されており、上記スリーブ１２が両リング１３ａ、１３ｂに装着されたベロ−ズ１４により被覆され、さらに各リング１３ａ、１３ｂにそれぞれ装着された保護外筒１５、１５により上記ベロ−ズ１４が覆われている。そして、一方のリング１３ａのフランジ面と原子炉圧力容器側フランジネック９の端部に形成されているフランジ面とを当接させ上下分割可能なクランプ１６を係合させるとともに、他方のリング１３ｂのフランジ面とシュラウド側フランジネック１０のフランジ面とを当接させ上下分割可能なクランプ１７を係合させることにより、ベローズ組立体１１の両端が原子炉圧力容器側フランジネック９及びシュラウド側フランジネック１０に連結されている。  
ところで、上記原子炉圧力容器壁と炉心シュラウド壁は材料の熱膨張係数の違いにより通常運転中及び低圧注水作動時にはコールド状体から相対変位を生じる。そこで、上述のようにスリーブ１２に形成されている球面をフランジ付きリング１３ａ、１３ｂの内面に係合させることにより、あらゆる方向の回転・移動が可能に構成され、上記相対変位が吸収されるようにしてある。また、ベロ−ズ１４を設けることによりジョイント部からの冷却水のリークを防止し、なおかつ相対変位吸収が容易に行われるようにしてある。
【０００５】
低圧注水系は３台の低圧注水ポンプ毎に別々のループになっており、原子炉水位低またはドライウェル圧力高の信号で作動開始し、サプレッションプール内の水を直接炉心シュラウド内に注入し燃料の約２／３の高さまで冠水することにより炉心を冷却する。
【発明の開示】
【発明が解決しようとする課題】
【０００６】
プラントの建設時における上記低圧注水系統カップリング等の据付は、アニュラス部に作業員が入り、予め低圧注水ノズルセーフエンド８に取り付けられている原子炉圧力容器側フランジネック９の芯に合わせて炉心シュラウド側のフランジネック１０を炉心シュラウド３にリング１８を介して溶接で取り付け、その後サーマルシールド１９を炉心シュラウド側のフランジネックの炉心側端部に溶接で取り付け、更にカバープレート２０をバッフルプレート２１に溶着している。
【０００７】
また、原子炉圧力容器側フランジネックのフランジと炉心シュラウド側フランジネックのフランジとの間にベローズ組立体を挿入してクランプで取り付ける際にも作業員がアニュラス部に入っての作業が多くなっている。
【０００８】
このように建設時の低圧注水系統カップリングの据付には炉内での溶接作業箇所が多く、また、作業員がアニュラス部に入っての作業が多い。
【０００９】
ところが、原子炉を長期間稼働した後に炉内構造物の交換を行う場合には、低圧注水系統カップリングを取り付ける位置が炉心に近く、高放射線量の環境となっていることが予想されるため、建設時と同様に作業員がアニュラス部に入り低圧注水系統カップリングの取り付けを行うには放射線量が高くて困難である等の問題がある。しかも、建設時の方法では炉内での溶接作業が多く工期が長くなる可能性がある等の問題がある。
【００１０】
本発明は、このような点に鑑み、原子炉を所定期間稼働した後に炉内構造物の交換を行う際に、アニュラス部に作業員が入って行う作業を極力少なくし、作業員の被曝の低減を図ることができ、また工期の短縮を図ることができる低圧注水系配管の取替方法を得ることを目的とする。
【課題を解決するための手段】
【００１１】
上記目的を達成するため、本発明は、原子炉圧力容器に設けられた低圧注水ノズルと炉心シュラウドとを接続し、原子炉冷却水喪失事故時に原子炉圧力容器内に冷却水を注入するようにした低圧注水系統カップリングを切断徹去するとともに、既設の炉心シュラウドを撤去した後、シュラウド側フランジネックが工場において取り付けられた新たな炉心シュラウドを原子炉圧力容器内に据付け、前記新たな炉心シュラウドに取り付けられたシュラウド側フランジネックと、原子炉圧力容器に設けられた低圧注水ノズルに取り付けられた原子炉圧力容器側フランジネックとの間に、低圧注水系統カップリングを構成するベローズ組立体を搬入し、そのベローズ組立体を介して前記原子炉圧力容器側フランジネックとシュラウド側フランジネックを互いに締結することを特徴とする低圧注水系配管の取替方法において、原子炉圧力容器側フランジネックの芯或いは炉心シュラウド側フランジネックの芯を基準として原子炉圧力容器側フランジネックの芯と炉心シュラウド側フランジネックの芯との芯ずれ量を遠隔で計測し、前記原子炉圧力容器側フランジネック或いは炉心シュラウド側フランジネックとベローズ組立体との間に上記芯ずれを吸収する機構を設けたことを特徴とするものである。
また、本発明は、原子炉圧力容器に設けられた低圧注水ノズルと炉心シュラウドとを接続し、原子炉冷却水喪失事故時に原子炉圧力容器内に冷却水を注入するようにした低圧注水系統カップリングを切断徹去するとともに、既設の炉心シュラウドを撤去した後、シュラウド側フランジネックが工場において取り付けられた新たな炉心シュラウドを原子炉圧力容器内に据付け、前記新たな炉心シュラウドに取り付けられたシュラウド側フランジネックと、原子炉圧力容器に設けられた低圧注水ノズルに取り付けられた原子炉圧力容器側フランジネックとの間に、低圧注水系統カップリングを構成するベローズ組立体を搬入し、そのベローズ組立体を介して前記原子炉圧力容器側フランジネックとシュラウド側フランジネックを互いに締結することを特徴とする低圧注水系配管の取替方法において、原子炉圧力容器側フランジネックの芯或いは炉心シュラウド側フランジネックの芯を基準として原子炉圧力容器側フランジネックのフランジ面と炉心シュラウド側フランジネックのフランジ面の傾き量を遠隔で計測し、前記原子炉圧力容器側フランジネック或いは炉心シュラウド側フランジネックとベローズ組立体との間に前記フランジ面の傾き量を吸収する機構を設けたことを特徴とするものである。
さらに、本発明は、原子炉圧力容器に設けられた低圧注水ノズルと炉心シュラウドとを接続し、原子炉冷却水喪失事故時に原子炉圧力容器内に冷却水を注入するようにした低圧注水系統カップリングを切断徹去するとともに、既設の炉心シュラウドを撤去した後、フランジネック短管部が工場において取り付けられた新たな炉心シュラウドを原子炉圧力容器内に据付け、前記新たな炉心シュラウドに取り付けられたシュラウド側フランジネック短管部に取り付けられたフランジ部と、原子炉圧力容器に設けられた低圧注水ノズルに取り付けられた原子炉圧力容器側フランジネックとの間に、低圧注水系統カップリングを構成するベローズ組立体を搬入し、そのベローズ組立体を介して前記原子炉圧力容器側フランジネックとシュラウド側フランジネックを互いに締結することを特徴とする低圧注水系配管の取替方法において、新たな低圧注水系統器機の一部である炉心シュラウド側フランジネックの短管部を予め炉心シュラウドの芯を基準に新たな炉心シュラウドに取り付けておき、この短管部が取り付けられた炉心シュラウドを炉内に取り付けるとともに、原子炉圧力容器側フランジネックの芯或いは炉心シュラウド側フランジネックの短管部の芯を基準として、原子炉圧力容器側フランジネックの芯と炉心シュラウド側フランジネックの短管部の芯との芯ずれ量を遠隔で計測することを特徴とするものである。
【発明の効果】
【００１２】
原子炉を長期間稼働した後に炉内構造物の交換を行う際に、アニュラス部に作業員が入って行う作業を極力少なくし、作業員の被曝の低減を図ることができ、また工期の短縮を図ることができる。
【発明を実施するための最良の形態】
【００１３】
以下、添付図面を参照して本発明の実施の形態を説明する。
【００１４】
（第１の実施の形態）
原子炉を所定期間稼働させた場合にはその後炉心シュラウドの取替等の炉内構造物交換を行う必要がある。その炉内構造物交換工事に際しては、まず作業者が原子炉圧力容器１内への入域により新たな低圧注水系統機器の据付を行うことができるように、原子炉圧力容器１内を化学洗浄または機械洗浄により除染した後、図１０に示すシュラウド側フランジネック１０とシュラウド３との溶接部を遠隔切断装置により水中で切断するとともに、低圧注水ノズルセーフエンド８と原子炉圧力容器側フランジネック９との接続部を遠隔切断装置により気中で切断し、原子炉圧力容器に設けられた低圧注水ノズルと炉心シュラウド３とを接続し原子炉冷却水喪失事故時に圧力容器内に冷却水を注入する低圧注水系統カップリング７を撤去する。
【００１５】
その後、新たな低圧注水系統機器の一部である原子炉圧力容器側のフランジネック９を原子炉圧力容器低圧注水ノズルセーフエンド８に原子炉圧力容器の芯を基準にして取り付ける。このときに原子炉圧力容器側フランジネック９の圧力容器内壁からの突出長さは建設時と同様にする。
【００１６】
一方、新たな低圧注水系統機器の一部であるシュラウド側フランジネック１０は、工場において、新たな炉心シュラウド３に対して予めシュラウドの芯を基準として既設の構造と同様に注水時の熱応力を緩和するようにリング１８を介して取り付け、更にサーマルシールド１９、バッフルプレート２１及びカバープレート２０を取り付けて機器として完成させる。そして、上記シュラウド側フランジネック１０等が取り付けられた炉心シュラウド３を既知のシュラウド取替工法と同様にして炉内に取り付ける。この状態を図１の下半部に示す。
【００１７】
シュラウド３の取付後、アニュラス部に水を炉心シュラウド３の中間部リング程度まで注水するとともに、低圧注水系統カップリング設置方位近傍もしくはアニュラス部に設けられたジェットポンプの上方にアニュラス部全周に亘って遮蔽板を設置する。また、炉心シュラウド３上に給水スパージャ、炉心スプレイ系配管据付にも使用する作業足場を設置する（図示せず）。そして、上記原子炉圧力容器側フランジネック９と炉心シュラウド側フランジネック１０との間にベローズ組立体１１を遠隔操作により搬入し、上記ベローズ組立体１１の両端部を原子炉圧力容器側フランジネック９と炉心シュラウド側フランジネック１０に連結する。
【００１８】
この場合、上記ベロ−ズ組立体１１の搬入に先だって、上記シュラウド３上の足場から計測装置を遠隔操作して、その計測装置を用いて、原子炉圧力容器側フランジネック９の芯もしくは炉心シュラウド側フランジネック１０の芯を基準として原子炉圧力容器側フランジネック９と炉心シュラウド側フランジネック１０との芯ずれ量ｊを計測し、その計測データを基に左右の取付フランジ２２ａ、２２ｂが互いに偏芯されている偏芯リング２２を工場で製作し、この偏芯リング２２をベロ−ズ組立体１１の原子炉圧力容器側フランジ付きリング１３ａもしくは炉心シュラウド側のフランジ付きリング１３ｂのフランジにクランプ２３を用いて工場で取り付ける。図１に於いては炉心シュラウド側のフランジ付きリング１３ｂのフランジに偏心リング２２を取り付けたものを示す。図２は上記クランプ２３の斜視図であり、内周面に梯形状の周溝２３ａ１を有する上下に２分割された半円状のクランプ部材２３ａ、２３ａからなり、上記上下のクランプ部材２３ａの周溝２３ａ１内に互いに締結されるフランジを係合させ、ボルト２３ｂ及びナット２３ｃにより上下のクランプ部材２３ａを互い締め付けることにより、互いに隣接するフランジ同士を結合させるものである。
【００１９】
そこで、上述のように工場において偏芯リング２２が装着されたベロ−ズ組立体１１を原子炉圧力容器側フランジネック９と炉心シュラウド側フランジネック１０との間に遠隔操作により搬入し、原子炉圧力容器側フランジネック９のフランジ９ａとベロ−ズ組立体１１の原子炉圧力容器側フランジ付きリング１３ａのフランジとをクランプ２３と同様なクランプ１６により締結し、また偏芯リング２２の炉心シュラウド側の取付フランジ２２ｂと炉心シュラウド側フランジネック１０のフランジ１０ａとをクランプ２３と同様なクランプ１７により機械的に締結する。図３及び図４に上記ベロ−ズ組立体１１を炉内に組み立てた状態を示す。
【００２０】
しかして、既設ではサイトの炉内で実施していた炉心シュラウドへのシュラウド側フランジネック１０の取り付け、サーマルシールド１９のシュラウド側フランジネックへの取り付け、及びバッフルプレート２１、カバープレート２０の取り付けを工場で施工するため、炉内での作業量を低減させることができる。しかも、アニュラス部に作業員が入って行う作業がないこと、及び炉内でのシュラウドへの低圧注水系統機器の部品の取り付け点数が低減することから作業員の被曝低減が期待される。また、既設では炉内で実施していた作業の一部を工場で実施するため炉内での工期の短縮が期待できる。
（第２の実施の形態）
ところで、上記実施の形態においては原子炉圧力容器側フランジネック９と炉心シュラウド側フランジネック１０との間に芯ずれが生じている場合について説明したが、遠隔操作により操作される計測装置により原子炉圧力容器側フランジネック９のフランジ面と炉心シュラウド側フランジネック１０のフランジ面との間に傾きが計測された場合には、その計測データに基に前記偏芯リング２２の左右の取付フランジ２２ａ、２２ｂの少なくとも一方の取付フランジのフランジ面２２ｂ１が傾斜された偏芯リング２２を工場においてベロ−ズ組立体１１に取り付けておき、その偏芯リング２２が取り付けたベロ−ズ組立体１１を原子炉圧力容器側フランジネック９と炉心シュラウド側フランジネック１０との間に遠隔操作により搬入し、第１の実施の形態と同様に、原子炉圧力容器側フランジネック９のフランジ９ａとベロ−ズ組立体１１の原子炉圧力容器側フランジ付きリング１３ａのフランジとをクランプ２３と同様なクランプ１６により締結し、また偏芯リング２２の炉心シュラウド側の取付フランジ２１ｂと炉心シュラウド側フランジネック１０のフランジ１０ａとをクランプ２３と同様なクランプ１７により機械的に締結する。図５に上記ベロ−ズ組立体１１を炉内に組み立てた状態を示す。しかして、この場合も第１の実施の形態と同様な効果を奏する。
【００２１】
（第３の実施の形態）  
上記第１及び第２の実施の形態においては、ベロ−ズ組立体１１に偏芯リング２２を装着しておき、その偏芯リング２２が取り付けたベロ−ズ組立体１１を原子炉圧力容器側フランジネック９と炉心シュラウド側フランジネック１０との間に遠隔操作により搬入装着するようにしたものを示したが、遠隔操作により操作される計測装置により原子炉圧力容器側フランジネック９の芯と炉心シュラウド側フランジネック１０の芯との間に芯ずれ或いは傾きが計測された場合には、その計測データに基にベロ−ズ組立体１１を構成している原子炉圧力容器側及び炉心シュラウド側フランジ付きリング１３ａ、１３ｂの少なくとも一方のフランジを工場で偏芯或いは傾斜面を有するように製作しておき、そのベロ−ズ組立体１１を前記実施の形態と同様に原子炉圧力容器側フランジネック９と炉心シュラウド側フランジネック１０との間に遠隔操作により搬入・連結する。図６及び図７にベロ−ズ組立体１１を構成している炉心シュラウド側のフランジ１３ｂを工場で偏芯或いは傾斜させて製作したベロ−ズ組立体１１を、原子炉圧力容器側フランジネック９と炉心シュラウド側フランジネック１０との間に遠隔操作により搬入・連結した状態を示す。
【００２２】
（第４の実施の形態）  
上記第１及び第２の実施の形態においては、ベロ−ズ組立体１１に偏芯リング２２を装着しておき、その偏芯リング２２が取り付けたベロ−ズ組立体１１を原子炉圧力容器側フランジネック９と炉心シュラウド側フランジネック１０との間に遠隔操作により搬入装着するようにしたものを示したが、例えば複数個の偏芯リングをベロ−ズ組立体１１の原子炉圧力容器側及び炉心シュラウド側の少なくとも一方に組み込むこともできる。
【００２３】
（第５の実施の形態）  
図８は、本発明の第５の実施の形態を示す図であり、炉心シュラウド側フランジネック１０の短管部１０ｂを予め炉心シュラウド３の芯を基準にリング１８を介して新たな炉心シュラウド３に取り付け、機器として工場で完成させておき、このフランジネックの短管部１０ｂ等が取り付けられた炉心シュラウド３を既知のシュラウド据付方法に従い炉内に取り付ける。その後、上部格子板４の取り付け前にシュラウド３の内側の中間部リングの下方に作業足場（図示せず）を設置する。そして、原子炉圧力容器側フランジネック９の芯或いは炉心シュラウド側フランジネック１０の短管部１０ｂの芯を基準として、原子炉圧力容器側フランジネック９の芯と炉心シュラウド側フランジネック１０の短管部１０ｂ間の芯ずれ量及び傾きを計測装置を用いて遠隔で計測する。そこで、上記計測装置による計測データを基に偏芯され、或いは傾斜されたフランジ面を有する偏芯フランジ１０ｃを上記短管部１０ｂの原子炉圧力容器側にシュラウド３の内側から取り付ける。その後、短管部１０ｂの反対側にサーマルシールド１９を取り付け、バッフルプレート２１にカバープレート２０を取り付ける。そして、原子炉圧力容器側フランジネック９と炉心シュラウド側フランジネック１０のフランジ面の間に既設と同仕様のベロ−ズ組立体１１をシュラウド３上部に設置している作業足場もしくはオペフロから遠隔で搬入し、クランプ等で機械的に締結する。
【００２４】
しかして、この実施の形態においては、前記各実施の形態と比較すると炉内での据付作業が増えるため効果は小さくなるが、建設時の据付方法及び構造と比較すれば工期の短縮／被曝線量の低減を図ることができる。
【図面の簡単な説明】
【００２５】
【図１】本発明の第１の実施の形態の作動説明図。
【図２】クランプの斜視図。
【図３】第１の実施の形態によりベロ−ズ組立体を組み込んだ状態を示す斜視図。
【図４】図３に対応する縦断側面図。
【図５】本発明の第２の実施の形態を示す図。
【図６】本発明の第３の実施の形態を示す図。
【図７】本発明の第３の実施の形態の変形例を示す図。
【図８】本発明の第５の実施の形態を示す図。
【図９】原子炉内部概略構成を示す図。
【図１０】従来の低圧注水系系統カップリング７部の拡大斜視図。
【図１１】図１０の連結部の縦断面図。
【符号の説明】
【００２６】
１  原子炉圧力容器
３  炉心シュラウド
４  上部格子板
７  低圧注水系統カップリング
８  低圧注水ノズルセーフエンド
９  原子炉圧力容器側フランジネック
１０  炉心シュラウド側フランジネック
１０ｂ  短管部
１１  ベローズ組立体
１３ａ、１３ｂ  フランジ付きリング
１４  ベローズ
１５  保護外筒
１６、１７  クランプ
１８  リング
１９  サーマルシールド
２０  カバープレート
２１  バッフルプレート
２２  偏芯リング
２３  クランプ
【図１】
0004473806.tif 000002
【図２】
0004473806.tif 000003
【図３】
0004473806.tif 000004
【図４】
0004473806.tif 000005
【図５】
0004473806.tif 000006
【図６】
0004473806.tif 000007
【図７】
0004473806.tif 000008
【図８】
0004473806.tif 000009
【図９】
0004473806.tif 000010
【図１０】
0004473806.tif 000011
【図１１】
0004473806.tif 000012